(57)【要約】【課題】  種々の形状の便器に対応できるようにして汎用性を向上させ、容器を回転させることで容器の内面を少量の洗浄液で確実に洗浄できるようにし省力化を図る。【解決手段】  汚物を受け上端開口２及び下端開口３を有する略逆錘形の容器１と、容器１を回転可能に支持する支持体１０と、容器１を回転駆動する駆動部３０と、容器１の内面１ａを洗浄する洗浄手段とを備え、容器１を可撓性のシート状部材で形成して開口の形状が真円でなくてもこれに追従して形状を変化させることができるようにし、容器１の上端開口２縁をガイド部２０で覆ってガイドし、洗浄手段を、容器１の内面１ａに向けて洗浄液を噴射する洗浄液噴射装置４０を備えて構成するとともに、容器１の上端開口２から下端開口３に亘る稜線に沿って延在し、容器１の内面１ａを払拭する払拭部材５１を有した払拭機構５０を備えて構成した。【選択図】  図１
2006028949.tif 000002
【特許請求の範囲】
【請求項１】
汚物を受け上端開口及び下端開口を有する略逆錘形の容器と、該容器を回転可能に支持する支持体と、上記容器を回転駆動する駆動部と、上記容器の内面を洗浄する洗浄手段とを備えた便器において、
上記容器を可撓性のシート状部材で形成したことを特徴とする便器。
【請求項２】
上記支持体を、上記容器の下端部を回転可能に支持する下端支持部を備えて構成したことを特徴とする請求項１記載の便器。
【請求項３】
上記容器の下端部に軸部を形成し、上記支持体の下端支持部を、上記軸部を回転可能に保持する軸受部を設けて構成したことを特徴とする請求項２記載の便器。
【請求項４】
上記容器の上端開口縁を覆ってガイドするガイド部を設けたことを特徴とする請求項１，２または３記載の便器。
【請求項５】
上記駆動部を、上記容器の上端開口縁部を挾持する一対のローラと、該ローラを回転させる電動モータとを備えて構成したことを特徴とする請求項１，２，３または４記載の便器。
【請求項６】
上記洗浄手段を、上記容器の内面に向けて洗浄液を噴射する洗浄液噴射装置を備えて構成したことを特徴とする請求項１，２，３，４または５記載の便器。
【請求項７】
上記洗浄手段を、上記容器の内面を払拭する払拭部材を有した払拭機構を備えて構成したことを特徴とする請求項１，２，３，４，５または６記載の便器。
【請求項８】
上記払拭部材は、上記容器の内面側で該容器の上端開口から下端開口に亘る稜線に沿って延在することを特徴とする請求項７記載の便器。
【請求項９】
上記払拭部材を上記容器の稜線に沿う回転軸を有した回転体で構成したことを特徴とする請求項８記載の便器。
【請求項１０】
上記払拭機構を、上記容器の上端開口側で上記回転軸の一端を軸支する一端軸受部と、上記容器の下端開口側で上記回転軸の他端を軸支する他端軸受部と、上記回転軸を回転駆動する電動モータとを備えて構成したことを特徴とする請求項９記載の便器。
【請求項１１】
上記払拭部材を、上記容器の内面側で該容器の上端開口から下端開口に亘る稜線に沿って移動可能にし、上記払拭機構に上記払拭部材を移動駆動する移動駆動部を備えたことを特徴とする請求項７記載の便器。
【請求項１２】
上記払拭部材を、上記容器外の退出位置から該容器の内面側で該容器の上端開口から下端開口に亘る稜線に沿って移動可能にし、上記払拭機構に上記払拭部材を移動駆動する移動駆動部を備えたことを特徴とする請求項７記載の便器。
【請求項１３】
上記払拭部材の退出位置において該払拭部材を収容し洗浄液に浸漬する液槽を設けたことを特徴とする請求項１２記載の便器。
【請求項１４】
上記払拭機構に、上記容器の内面側で該容器の上端開口から下端開口に亘る稜線に沿って延在し上記払拭部材をガイドするガイドレールを備えたことを特徴とする請求項１１，１２または１３記載の便器。
【請求項１５】
上記支持体に、上記容器の下端開口から流出する汚物を排出する排出管を備えて構成し、該排出管に排出ポンプを介装したことを特徴とする請求項１，２，３，４，５，６，７，８，９，１０，１１，１２，１３または１４記載の便器。
【発明の詳細な説明】
【技術分野】
【０００１】
本発明は、汚物を受ける容器を回転可能にして容器の内面の洗浄を確実に行なうことができるようにした便器に関する。
【背景技術】
【０００２】
従来、この種の便器としては、特許文献１記載の技術が知られている（特開昭５７−２０１４３７号公報参照）。
図７に示すように、この便器Ｂａは、着座タイプの便器であり、汚物を受ける上端開口１０１及び下端開口１０２を有する断面円形で略逆錘形の容器１００と、容器１００を覆う外筒１０４と、容器１００を外筒１０４に対して回転可能に支持する伸縮螺旋１０５と、容器１００内に水を噴射して容器１００の内面を洗浄する洗浄装置１０６とを備えている。また、容器１００の上端開口１０１には、使用者が座る体重受輪１０７が配置され、この体重受輪１０７と容器１００の上端開口１０１に設けた鍔部との間にはスラスト球１０８が配列されている。
【０００３】
そして、使用の際に、使用者が体重受輪１０７に座ると、その体重で体重受輪１０７が伸縮螺旋１０５を縮め、使用後に立ち上がると、縮まった伸縮螺旋１０５の旋回反転回転作動が起こり、容器１００が自動的に反転回転させられる。この状態で、洗浄装置１０６からの洗浄液で容器１００の内面を洗浄し、洗浄液を汚物とともに容器１００の下端開口１０２から排出するようにしている。この洗浄の際には、容器１００が回転するので洗浄液が容器１００の内面に満遍なく行き渡り、洗浄が確実に行なわれるとともに、洗浄液が少なくても洗浄が可能になり省力化が図られる。
【０００４】
【特許文献１】特開昭５７−２０１４３７号公報
【発明の開示】
【発明が解決しようとする課題】
【０００５】
ところで、従来の便器Ｂａにおいては、容器１００の断面が円形であるので、種々の形状、例えば、男子トイレ用便器のように開口が卵形（涙形あるいは舌形などとも表現できる）の異型のものなど、種々の形状の便器に対応できないという問題があった。
本発明は上記の問題点に鑑みて為されたもので、種々の形状の便器に対応できるようにして汎用性を向上させ、容器を回転させることで容器の内面を少量の洗浄液で確実に洗浄できるようにし省力化を図った便器を提供することを目的とする。
【課題を解決するための手段】
【０００６】
このような目的を達成するための本発明の技術的手段は、汚物を受け上端開口及び下端開口を有する略逆錘形の容器と、該容器を回転可能に支持する支持体と、上記容器を回転駆動する駆動部と、上記容器の内面を洗浄する洗浄手段とを備えた便器において、上記容器を可撓性のシート状部材で形成した構成としている。
【０００７】
これにより、この便器を使用するときは、例えば、使用者が用を済ませた後、容器を回転させるとともに洗浄手段により洗浄を行なう。この場合、容器は可撓性のシート状部材で形成されているので、開口の形状が真円でなくても、これに追従して形状を変化させることができ、回転にも対応できるようになる。その結果、種々の形状の便器に対応できるようになり、汎用性が向上させられる。
容器が回転するので、容器内面を満遍なく洗浄することができ、そのため洗浄が確実に行なわれる。
【０００８】
そして、必要に応じ、上記支持体を、上記容器の下端部を回転可能に支持する下端支持部を備えて構成している。容器は下端支持部に支持されているので、下からの支持になることから支持が安定する。
この場合、上記容器の下端部に軸部を形成し、上記支持体の下端支持部を、上記軸部を回転可能に保持する軸受部を設けて構成したことが有効である。容器はその軸部が軸受部に軸支されて支持されるので、軸支されることから回転が円滑に行なわれる。
【０００９】
また、必要に応じ、上記容器の上端開口縁を覆ってガイドするガイド部を設けた構成としている。容器は、可撓性のシート状部材で形成されているので、上端開口縁がガイド部にガイドされ、例えば卵型などの異形の開口であっても、この形状を保持した状態で回転が行なわれる。即ち、開口の形状が真円でなくても、これに追従して形状を変化させるようガイドができ、確実に回転に対応させることができる。
【００１０】
更に、必要に応じ、上記駆動部を、上記容器の上端開口縁部を挾持する一対のローラと、該ローラを回転させる電動モータとを備えて構成している。容器の上端開口縁部を挾持する一対のローラにより回転を行なうので、装置が比較的簡易であり、また、ローラで挾持することから確実に容器を回転させることができる。
【００１１】
更にまた、上記洗浄手段を、上記容器の内面に向けて洗浄液を噴射する洗浄液噴射装置を備えて構成している。容器を回転させることから、洗浄液が満遍なく容器内面に行き渡り、そのため洗浄が確実に行なわれる。また、容器を回転させることから、洗浄液の量を多くしなくても良く、洗浄液だけで洗浄する場合に比較して大幅に少なくて済み、水資源の節約をすることができ、それだけ省力化が図られる。
【００１２】
また、必要に応じ、上記洗浄手段を、上記容器の内面を払拭する払拭部材を有した払拭機構を備えて構成している。
容器内面を払拭部材によって払拭するので、より一層確実に容器内面を洗浄することができる。特に、容器内面の払拭により、尿石の付着が防止されるので、容器内面を清浄な状態に保持することができるようになる。
【００１３】
そして、必要に応じ、上記払拭部材は、上記容器の内面側で該容器の上端開口から下端開口に亘る稜線に沿って延在する構成としている。容器の回転により、払拭部材に容器内面を払拭させることができる。
この場合、上記払拭部材を上記容器の稜線に沿う回転軸を有した回転体で構成したことが有効である。払拭部材は回転するので、容器内面との接触頻度が増し、それだけ、確実に内面を清浄にすることができる。
更に、この場合、上記払拭機構を、上記容器の上端開口側で上記回転軸の一端を軸支する一端軸受部と、上記容器の下端開口側で上記回転軸の他端を軸支する他端軸受部と、上記回転軸を回転駆動する電動モータとを備えて構成したことが有効である。支持を確実にして強制的に回転させ、確実に内面を清浄にすることができる。
【００１４】
そしてまた、必要に応じ、上記払拭部材を、上記容器の内面側で該容器の上端開口から下端開口に亘る稜線に沿って移動可能にし、上記払拭機構に上記払拭部材を移動駆動する移動駆動部を備えた構成としている。払拭部材を小さくして容器内面を払拭することができ、払拭部材の容器内での露出度を少なくすることができ、使用時に汚物が払拭部材にぶつかって飛散してしまう事態が防止される。また、露出度が少ないことから見栄えも向上させられる。
【００１５】
また、必要に応じ、上記払拭部材を、上記容器外の退出位置から該容器の内面側で該容器の上端開口から下端開口に亘る稜線に沿って移動可能にし、上記払拭機構に上記払拭部材を移動駆動する移動駆動部を備えた構成としている。払拭部材を容器外の退出位置に位置させることができるので、使用時に払拭部材を退出させておけば、汚物が払拭部材にぶつかって飛散してしまう事態が防止される。また、払拭部材を退出させておけば、容器内に露出しないことから見栄えも向上させられる。
【００１６】
この場合、上記払拭部材の退出位置において該払拭部材を収容し洗浄液に浸漬する液槽を設けたことが有効である。退出位置において払拭部材を清浄化でき、そのため、容器の払拭を確実に行なうことができるようになる。尚、液槽内の洗浄液は、適時に交換するようにすればよい。
【００１７】
また、必要に応じ、上記払拭機構に、上記容器の内面側で該容器の上端開口から下端開口に亘る稜線に沿って延在し上記払拭部材をガイドするガイドレールを備えた構成としている。移動駆動部により、払拭部材をガイドレールに沿って移動させるので、払拭部材の移動が確実に行なわれ、払拭を確実に行なうことができる。
【００１８】
そしてまた、必要に応じ、上記支持体に、上記容器の下端開口から流出する汚物を排出する排出管を備えて構成し、該排出管に排出ポンプを介装した構成としている。
これにより、下端開口へ流下した汚物は容器の下端開口に溜まろうとするが、排出ポンプも作動しているので、この排出ポンプにより吸引されて外部に排出されていく。この場合、汚物が比較的高速で強制的に圧送される。そのため、汚物の流速が速いので、排出管内に尿石が付着しにくく尿石の堆積による排出管の詰りが防止され、排出管が尿石の堆積で詰まった際に行なわれる高圧洗浄を行なう必要がなくなる。その結果、メンテナンスにかかる費用を軽減することができる。また、排出ポンプが設置されているので、汚物を高い場所に圧送することもでき、汚物の投棄場所が遠距離であっても使用できる。
【発明の効果】
【００１９】
本発明の便器によれば、容器は可撓性のシート状部材で形成されているので、開口の形状が真円でなくても、これに追従して形状を変化させることができ、回転にも対応できるようになる。その結果、種々の形状の便器に対応できるようになり、汎用性が向上させられる。
また、洗浄手段を、容器の内面に向けて洗浄液を噴射する洗浄液噴射装置を備えて構成した場合には、容器を回転させることから、洗浄液が満遍なく容器内面に行き渡り、そのため洗浄が確実に行なわれる。また、容器を回転させることから、洗浄液の量を多くしなくても良く、洗浄液だけで洗浄する場合に比較して大幅に少なくて済み、水資源の節約をすることができ、それだけ省力化が図られる。
更に、容器内面を払拭機構の払拭部材によって払拭するようにすれば、より一層確実に容器内面を洗浄することができる。特に、容器内面の払拭により、尿石の付着が防止されるので、容器内面を清浄な状態に保持することができるようになる。
【発明を実施するための最良の形態】
【００２０】
以下、添付図面に基づいて、本発明の実施の形態に係る便器について詳細に説明する。
図１乃至図４に示すように、本発明の実施の形態に係る便器Ｂは、男性用小便器であり、腰掛けて使用する便座タイプのものに比較して開口が小さく、汚物としての尿を確実に受けるように前に伸びた形状になっている。
本発明の実施の形態に係る便器Ｂの基本的構成は、汚物を受け上端開口２及び下端開口３を有する略逆錘形の容器１と、容器１の上端開口２を開放させて容器１の外側を覆う外装体５と、容器１を回転可能に支持する支持体１０と、容器１を回転駆動する駆動部３０と、容器１の内面１ａを洗浄する洗浄手段としての洗浄液噴射装置４０及び払拭機構５０とを備えている。
【００２１】
容器１は、可撓性のシート状部材で形成されている。この容器１の材質は、例えば、フッ素樹脂や塩化ビニル等の樹脂であり、通常の状態で略逆錘形の形状を保持できる例えば厚さが１〜２ｍｍ程度に形成されている。
容器１の下端部には、下端開口３を構成する円筒状の軸部４が形成されている。
【００２２】
支持体１０は、外装体５内に設けられ、容器１の下端部の軸部４を回転可能に支持する下端支持部１１を備えて構成されている。支持体１０の下端支持部１１は、支持台１２（図４）と、支持台１２上に設けられ軸部４を回転可能に保持する円筒状の軸受部１３とを備えて構成されている。軸受部１３の下端は閉塞されており、軸部４に流れ込む液体が溜まるように形成されている。軸受部１３には、軸部４に摺接可能に嵌合し、尿や洗浄液等の液体が漏れるのを防止するパッキン１４が設けられている。
【００２３】
また、図４に示すように、支持台１２には、軸受部１３及び軸部４内に突設された凸条体１５が設けられている。この凸条体１５には、その側面に汚物及び洗浄液が排出される排出口１６が形成されるとともに、この排出口１６に連通する汚物の排出路１７が形成されている。汚物及び洗浄液は、排出口１６から排出路１７を通って外部に排出される。
【００２４】
更に、外装体５の上側には、容器１の上端開口２縁を覆ってガイドするガイド部２０が設けられている。ガイド部２０は、図４に示すように、上端開口２が入り込む断面略Ｕ字状に形成されている。そして、容器１の回転により、容器１の上端開口２縁はガイド部２０にガイドされてガイド部２０内を摺接する。
ガイド部２０の外形は、図１及び図３に示すように、卵形（涙形あるいは舌形などとも表現できる）に形成されており、この結果、容器１の上端開口２も撓んでこのガイド部２０の外形に倣った形状を呈する。即ち、容器１は可撓性のシート状部材で形成されているので、開口の形状が真円でなくても、これに追従して形状を変化させることができ、回転に対応できる。
【００２５】
駆動部３０は、容器１の上端開口２縁部を挾持する一対のローラ３１と、ローラ３１を回転させる電動モータ３２とを備えて構成されている。電動モータ３２は例えばＤＣ１２Ｖのモータが使用される。ローラ３１及び電動モータ３２は図示外の支持部材により外装体５に支持されている。
【００２６】
洗浄手段としての洗浄液噴射装置４０は、容器１の内面１ａに向けて洗浄液を噴射するノズル４１を備えて構成されている。洗浄液噴射装置４０は、外装体５上部に設けたタンク４２から電動ポンプ４３で洗浄液を送給する。電動ポンプ４３は例えばＤＣ１２Ｖの電動モータ（図示せず）で駆動される。ノズル４１は、容器１の上端開口２の内面１ａに向けて洗浄液を噴射する位置に設けられている。
【００２７】
また、洗浄手段としての払拭機構５０は、容器１の内面１ａ側で容器１の上端開口２から下端開口３に亘る稜線に沿って延在し、容器１の内面１ａを払拭する払拭部材５１を備えて構成されている。この払拭部材５１は、容器１の稜線に沿う回転軸５２を有した回転体５３で構成されている。払拭部材５１としては、スポンジ，ブラシ等が用いられる。
【００２８】
この払拭機構５０において、図４に示すように、外装体５には、容器１の上端開口２側で払拭部材５１の回転軸５２の一端を軸支する一端軸受部５４が設けられ、支持体１０には、容器１の下端開口３側で回転軸５２の他端を軸支する他端軸受部５５が設けられている。具体的には、他端軸受部５５は、凸条体１５の上部に形成されている。また、払拭部材５１の回転軸５２を回転駆動する電動モータ５６が、一端軸受部５４に付設されている。回転軸５２を回転駆動する電動モータ５６は例えばＤＣ１２Ｖのモータが使用される。
【００２９】
また、容器１の下端開口３から流出する汚物及び洗浄水を排出する排出管６０が上記の凸条体１５の排出路１７に接続されている。排出管６０の内径は例えば１０〜２０ｍｍの例えばフッ素樹脂製の継ぎ目が無い管が使用される。この排出管６０には、排出ポンプ６１が介装されている。排出ポンプ６１は例えばＤＣ１２Ｖの電動モータ（図示せず）で駆動される。
【００３０】
上記のＤＣ１２Ｖの各電動モータは、人体に対しての感電の危険が少なく、太陽光発電または風力発電での使用も可能である。また、電圧及びヘルツに関係なく使用できる。
そして、小型の発電機や自動車等の外部からの発電機があれば、発電機と便器Ｂの設置距離に関係なく使用できる。
【００３１】
また、実施の形態に係る便器Ｂにおいては、便器Ｂの前に使用者が来たことを検知するとともに、使用者が用を済ませ、便器Ｂから立ち去ったことを検知するセンサ（図示せず）と、このセンサの検知に基づいて、駆動部３０の電動モータ３２，洗浄液噴射装置４０の電動ポンプ４３の電動モータ，払拭機構５０の電動モータ５６及び排出ポンプ６１の電動モータを駆動する制御部（図示せず）を備えている。駆動のタイミングは適宜に定めてよい。
【００３２】
従って、この実施の形態に係る便器Ｂによれば、センサが、便器Ｂの前に使用者が来たことを検知するとともに、使用者が用を済ませ、便器Ｂから立ち去ったことを検知すると、例えばその後一定時間、駆動部３０の電動モータ３２，洗浄液噴射装置４０の電動ポンプ４３の電動モータ，払拭機構５０の電動モータ５６及び排出ポンプ６１の電動モータを駆動する。
これにより、洗浄液噴射装置４０から例えば約１０ｍｌ位の洗浄液が容器１の内面１ａに向けて噴射されるとともに、容器１が回転を始めると同時に、払拭部材５１も回転を始める。
【００３３】
この場合、容器１は下端支持部１１に支持されているので、下からの支持になることから支持が安定するとともに、容器１はその軸部４が軸受部１３に軸支されて支持されるので、軸支されることから回転が円滑に行なわれる。また、容器１は、可撓性のシート状部材で形成されているので、上端開口２縁がガイド部２０にガイドされて卵型の開口を保持した状態で回転が行なわれる。ガイド部２０でガイドすることから、上端開口２縁の形状を確実に保持できる。
また、この容器１を回転させる駆動部３０は、容器１の上端開口２縁部を挾持する一対のローラ３１により行なうので、装置が比較的簡易であり、また、ローラ３１で挾持することから確実に容器１を回転させることができる。
【００３４】
そして、洗浄液が容器１の上から下へ向けて流れていき、この過程で、容器１の回転と、回転体５３の回転により、容器１の内面１ａが洗浄され、汚物及び洗浄液は容器１の下端開口３へ流れていく。
この場合、容器１が回転するので、洗浄液が満遍なく容器１の内面１ａに行き渡り、そのため洗浄が確実に行なわれる。また、容器１の内面１ａは、払拭部材５１によって払拭もされるので、確実に容器１の内面１ａを洗浄することができる。特に、容器１の内面１ａの払拭により、尿石の付着が防止されるので、容器１の内面１ａを清浄な状態に保持することができるようになる。また、払拭部材５１は回転するので、容器１の内面１ａとの接触頻度が増し、それだけ、確実に内面１ａを清浄にすることができる。
更にまた、容器１を回転させるとともに払拭部材５１で払拭することから、それだけ、洗浄液の量を多くしなくても良く、洗浄液だけで洗浄する場合に比較して大幅に少なくて済み、水資源の節約をすることができ、それだけ省力化が図られる。また、水洗トイレの水を流した音と比較して、洗浄時に生じる音は非常に静かである。
【００３５】
下端開口３へ流下した汚物及び洗浄液は容器１の下端開口３に溜まろうとするが、排出ポンプ６１も作動しているので、この排出ポンプ６１により吸引されて外部に排出されていく。
この場合、排出管６０の内径は１０ｍｍ〜２０ｍｍ位と比較的細いので、汚物及び洗浄液が比較的高速で強制的に圧送される。そのため、汚物の流速が速いので、排出管６０内に尿石が付着しにくく尿石の堆積による排出管６０の詰りが防止され、排出管６０が尿石の堆積で詰まった際に行なわれる高圧洗浄を行なう必要がなくなる。その結果、メンテナンスにかかる費用を軽減することができる。
また、排出ポンプ６１が設置されているので、汚物を高い場所に圧送することもでき、汚物の投棄場所が遠距離であっても使用できる。
【００３６】
また、このような実施の形態に係る便器Ｂにおいては、容器１を可撓性のシート状部材で形成したので、容器１が汚れたり、キズや破損が生じた場合に簡単に容器１を取り外して取り替えることができる。更に、容器１は可撓性のシート状部材で製造されているので、陶器等で製造されているものに比較して、便器Ｂ全体が軽量となり移動や便器Ｂの取り付けが容易となり、振動に対しても強い構造となる。
【００３７】
図５には、本発明の別の実施の形態に係る便器Ｂを示している。この便器Ｂは、上記実施の形態とは、払拭機構５０の構成を異にする。この払拭機構５０において、払拭部材５１は、内部に錘（図示せず）が入れられたブロック状のブラシで構成されており、容器１外の退出位置Ｘから容器１の内面側で容器１の上端開口２から下端開口３に亘る稜線に沿って移動可能になっている。退出位置Ｘは、容器１の上端開口２に隣接した位置に設けられている。この払拭部材５１の退出位置Ｘには、払拭部材５１を収容し洗浄液に浸漬する液槽７０が設けられている。７１はダンパであり液槽７０を所定のタイミングで開閉する。
【００３８】
また、払拭機構５０には、容器１の内面側で容器１の上端開口２から下端開口３に亘る稜線に沿って延在し払拭部材５１をガイドするガイドレール７２が備えられている。このガイドレール７２は、ワイヤで構成され、上記の凸条体１５と、容器１外部の外装体５との間に張設されている。
そして、払拭機構５０には、払拭部材５１を移動駆動する移動駆動部７３が備えられている。この移動駆動部７３は、一端が払拭部材５１に止着され他端側がロール７４に巻回されるワイヤ７５と、ロール７４を正逆回転させてワイヤ７５を送出し巻き戻しするモータ７６とを備えて構成されている。モータ７６は、容器１の上端開口２上方で外装体５に設けられている。
【００３９】
これにより、払拭部材５１は、退出位置Ｘにおいて、液槽７０に入れられ、必要時にダンパ７１が開かれた状態でモータ７６の駆動によりワイヤ７５が巻き戻されることにより液槽７０から引き上げられ、ダンパ７１が閉じられた状態でモータ７６の駆動によりワイヤ７５が送出されることによりダンパ７１上をスライドさせられて容器１内に至りガイドレール７２に沿って容器１の上端開口２から下端開口３に向けて移動させられ、容器１を払拭する。払拭終了後は、払拭部材５１は、ダンパ７１が閉じられた状態でモータ７６の駆動によりワイヤ７５が巻き戻されることによりガイドレール７２に沿って容器１の下端開口３から上端開口２に向けて移動させられダンパ７１上をスライドさせられてダンパ７１の上部に位置させられ、ダンパ７１が開かれた状態でモータ７６の駆動によりワイヤ７５が送出されることにより液槽７０内に引き下げられこれに入れられる。
【００４０】
従って、この実施の形態に係る便器Ｂによれば、例えば、以下のような制御により、洗浄が行なわれる。常時は、払拭部材５１は、退出位置Ｘにおいて、液槽７０に入れられている。この状態で、人が便器Ｂを使用する。この場合、人感センサで人が便器Ｂの前に立ち止まったことを感知する。この使用の際には、払拭部材５１は、容器１内にはなく、露出していないことから、使用時に汚物が払拭部材５１にぶつかって飛散してしまう事態が防止される。また、露出していないことから見栄えも向上させられる。
【００４１】
次に、人感センサが放尿を済ませ立ち去りを確認すると、モータ７６が始動して一定のところまで払拭部材５１を巻き戻し停止させる。それから、ダンパ７１が斜め上方向に上がり液槽７０の入口を閉の状態にする。次に、モータ７６が逆転し払拭部材５１を一定のところまで下降させる。また、容器１が回転を始め、払拭部材５１がガイドレール７２に沿い中心部に向かって回転に合わせたスピードで下降し一定の所で止まる。この場合、払拭部材５１はガイドレール７２に沿って移動させられるので、払拭部材５１の移動が確実に行なわれ、払拭を確実に行なうことができる。
払拭が終わると容器１は回転を停止しモータ７６により払拭部材５１を巻揚げ一定の所で停止させる。それから、ダンパ７１が開き、モータ７６が逆転し払拭部材５１を降下させるとともに液槽７０内に収納し終了となる。この場合、退出位置Ｘにおいて払拭部材５１を清浄化でき、そのため、容器１の払拭を確実に行なうことができるようになる。
【００４２】
図６には、本発明のまた別の実施の形態に係る便器Ｂを示している。この便器Ｂは、上記実施の形態とは、払拭機構５０の構成を異にする。この払拭機構５０において、払拭部材５１は、ブロック状の筒状の可撓性ブラシで構成されており、容器１外の退出位置Ｘから容器１の内面側で容器１の上端開口２から下端開口３に亘る稜線に沿って移動可能になっている。退出位置Ｘは、容器１の上端開口２に隣接した位置に設けられている。この払拭部材５１の退出位置Ｘには、払拭部材Ｘを収容し洗浄液に浸漬する液槽７０が設けられている。
【００４３】
また、払拭機構５０には、容器１の内面側で容器１の上端開口２から下端開口３に亘る稜線に沿って延在し払拭部材５１をガイドするガイドレール７２が備えられている。このガイドレール７２は、Ｃチャンネル状の部材であり、全体が略Ｕ字状に折曲形成され、凸条体１５に一端が固定され、他端が液槽７０内に至っている。払拭部材５１の両端部にはこのガイドレール７２に摺動可能に挿通されるリング部７７が設けられ、このリング部７７の挿通により、払拭部材５１はガイドレール７２に沿って移動可能になっている。
【００４４】
そして、払拭機構５０には、払拭部材５１を移動駆動する移動駆動部８０が備えられている。この移動駆動部８０は、ガイドレール７２内に配設され一端が払拭部材５１のリング部７７に止着され他端側が液槽７０内に至るとともに、液槽７０内に配設されたスプロケット８１に噛合しこのスプロケット８１の回転により進退動させられるチェーン８２と、スプロケット８１を正逆回転させてチェーン８２を進退動させるモータ８３とを備えて構成されている。これにより、払拭部材５１は、退出位置Ｘにおいて、液槽７０に入れられ、必要時にモータ８３の駆動によりスプロケット８１を介してチェーン８２が進出させられることにより液槽７０から引き上げられて容器１内に至りガイドレール７２に沿って容器１の上端開口２から下端開口３に向けて移動させられ、容器１を払拭する。払拭終了後は、払拭部材５１は、モータ８３の駆動によりスプロケット８１を介してチェーン８２が後退させられることによりガイドレール７２に沿って容器１の下端開口３から上端開口２に向けて移動させられ液槽７０内に入れられる。従って、この実施の形態に係る便器Ｂにおいても、別の実施の形態に係る便器Ｂと同様の作用，効果を奏する。
【００４５】
尚、本発明の実施の形態においては、例えば、容器１に絵を印刷し子供用便器Ｂに使用することにより、子供が１人で喜んで便器Ｂを利用するように促すことができる便器Ｂにして良い。
また、便器Ｂの後側に上下にモータによりスライドするレールを設け、スイッチによる簡単な操作で便器Ｂを使用者の身長に応じて高さを調節できる便器Ｂにしても良い。
更に、容器１の内側面に可視光動作光触媒を使用し、洗浄効果を向上させても良い。
更にまた、排出管６０を樹脂製、例えば、フッ素樹脂等で細く蛇腹状に製造されたものを使用して良い。
【００４６】
尚また、上記実施の形態において、払拭部材５１を回転させるようにしたが、必ずしもこれに限定されるものではなく、ブラシや、自動車のワイパーブレードのようなものを用い固定タイプにしても良い。
また、ガイド部２０により容器１の上端開口２をガイドするようにしたが、必ずしもこれに限定されず、容器１の中間部をガイドするように構成しても良く、適宜変更して差支えない。
更に、上記実施の形態においては、本発明を男性用便器Ｂに適用したが、必ずしもこれに限定されるものではなく、便座型の便器Ｂ等どのようなタイプの便器Ｂに本発明を適用して良いことは勿論である。
【図面の簡単な説明】
【００４７】
【図１】本発明の実施の形態に係る便器を示す斜視図である。
【図２】本発明の実施の形態に係る便器を示す側面図である。
【図３】本発明の実施の形態に係る便器を示す平面図である。
【図４】本発明の実施の形態に係る便器を示す断面図である。
【図５】本発明の別の実施の形態に係る便器を示す断面図である。
【図６】本発明のまた別の実施の形態に係る便器を示し、（ａ）は断面図、（ｂ）は（ａ）中Ｙ−Ｙ線断面図である。
【図７】従来の便器の一例を示す断面図である。
【符号の説明】
【００４８】
Ｂ  便器
１  容器
１ａ  内面
２  上端開口
３  下端開口
４  軸部
５  外装体
１０  支持体
１１  下端支持部
１２  支持台
１３  軸受部
１４  パッキン
１５  凸条体
１６  排出口
１７  排出路
２０  ガイド部
３０  駆動部
３１  ローラ
３２  電動モータ
４０  洗浄液噴射装置（洗浄手段）
４１  ノズル
４２  タンク
４３  電動ポンプ
５０  払拭機構（洗浄手段）
５１  払拭部材
５２  回転軸
５３  回転体
５４  一端軸受部
５５  他端軸受部
５６  電動モータ
６０  排出管
６１  排出ポンプ
Ｘ  退出位置
７０  液槽
７１  ダンパ
７２  ガイドレール
７３  移動駆動部
７４  ロール
７５  ワイヤ
７６  モータ
７７  リング部
８０  移動駆動部
８１  スプロケット
８２  チェーン
８３  モータ
【図１】
2006028949.tif 000003
【図２】
2006028949.tif 000004
【図３】
2006028949.tif 000005
【図４】
2006028949.tif 000006
【図５】
2006028949.tif 000007
【図６】
2006028949.tif 000008
【図７】
2006028949.tif 000009